(57)【特許請求の範囲】
【請求項１】
複数枚のブレードを設けたモータと、このモータのシャフトに接続された天井に取り付けるための固定金具と、着脱可能に設けた照明器具と、前記モータの下側に設けられる回路基板およびリモコン受光部とを備え、前記照明器具の着脱に関係なく、前記リモコン受光部を固定し、前記リモコン受光部を塔載したセンサー基板の外周側に垂直方向の遮へい板を設け、照明器具の中心部を介して赤外線信号を受信可能に構成した天井扇風機。
【請求項２】
回路基板を中空円板形状に形成し、モータのシャフト下端より上側に設置した請求項１記載の天井扇風機。
【請求項３】
照明用ＬＥＤを本体の中心下部に設け、リモコン受光部を、前記照明用ＬＥＤに近接して配置した請求項１または２に記載の天井扇風機。
【請求項４】
回路基板を囲む回路カバーに取付けられたセンサー基板に、照明用ＬＥＤとリモコン受光部を隔てる壁を設けた請求項３記載の天井扇風機。
【請求項５】
リモコン受光部を囲むように略円筒状に形成した遮へい板の天面を、高さが前記受光部との距離に略比例するように傾斜して構成した請求項１または３に記載の天井扇風機。
【請求項６】
センサー基板の外周側に垂下する遮へい板を、照明器具の天板に一体に設け構成した請求項１、３または５記載の天井扇風機。
【請求項７】
回路基板が設置される回路ケースの外周側に照明器具を取付けるための照明用フランジを設けた請求項１記載の天井扇風機。
【請求項８】
照明器具を取付ける照明用フランジを、リモコン受光部より上側に設けた請求項７記載の天井扇風機。
【発明の詳細な説明】
【技術分野】
【０００１】
本発明は、天井に設置し、リモコン操作により運転制御される天井扇風機に関する。
【背景技術】
【０００２】
従来、この種の天井扇風機の一例としてリモコン操作により運転制御される天井扇風機が知られている（例えば、特許文献１参照）。
【０００３】
以下、その天井扇風機について図７および図８を参照しながら説明する。
【０００４】
図に示すように、モータ１０１は光信号により遠隔操作されるもので、支持具１０２に受光ユニット１０３を装着し、受光ユニット１０３は受光センサ１０４および受光コネクタ１０５を固定したセンサケース１０６と、凸形状の集光カバー１０７を中央にはめ込んだ集光カバー枠１０８とからなり、センサケース１０６は受光センサ１０４が下向きになるように設け、照明装置１０９を取り付け構成している。
【特許文献１】特開平１０−３０６７９２号公報（［００１８］、図１、図２）
【発明の開示】
【発明が解決しようとする課題】
【０００５】
このような従来の天井扇風機では、照明装置１０９を取り付けるときに受光センサ１０４を着脱するために専用のセンサケース１０６を用いて覆うようにしていたので、センサケース１０６が必要であり、コストアップになるという課題があり、センサケース１０６を不必要にすることが要求されている。
【０００６】
また、照明装置１０９の着脱時には、受光ユニット１０３の取替えの手間が必要であるという課題があり、照明装置１０９の着脱時に受光ユニット１０３の取替えを不必要にすることが要求されている。
【０００７】
本発明は、このような従来の課題を解決するものであり、センサケースを不要とするとともに、照明器具の着脱時にリモコン受光部を取替えずに設置ができる天井扇風機を提供することを目的としている。
【課題を解決するための手段】
【０００８】
本発明の天井扇風機は上記目的を達成するために、複数枚のブレードを設けたモータと、このモータのシャフトに接続された天井に取り付けるための固定金具と、着脱可能に設けた照明器具と、前記モータの下側に設けられる回路基板およびリモコン受光部とを備え、前記照明器具の着脱に関係なく、前記リモコン受光部を固定し、前記リモコン受光部を塔載したセンサー基板の外周側に垂直方向の遮へい板を設け、照明器具の中心部を介して赤外線信号を受信可能に構成したものである。
【０００９】
この手段により、リモコン受光部専用のセンサケースが不要になるとともに、照明器具の着脱時にリモコン受光部の取替えが不要となり、センサーの受光感度の低下を防ぎ、また、電子部品の温度上昇も緩和することができる天井扇風機が得られる。
【００１０】
また、他の手段は、回路基板を中空円板形状に形成し、モータのシャフト下端より上側に設置したものである。
【００１１】
この手段により、製品高さを小さくすることができる天井扇風機が得られる。
【００１８】
また、他の手段は、照明用ＬＥＤを本体の中心下部に設け、リモコン受信部を、前記照明用ＬＥＤに近接して配置したものである。
【００１９】
この手段により、回路ケースのスペースを小さくできる天井扇風機が得られる。
【００２０】
また、他の手段は、回路基板を囲む回路カバーに取り付けられたセンサー基板に、照明用ＬＥＤとリモコン受光部を隔てる壁を設けたものである。
【００２１】
この手段により、リモコン受光部の受光感度を維持することができるとともに、センサー基板の取付時の位置決め固定が容易となる天井扇風機が得られる。
【００２４】
また、他の手段は、リモコン受光部を囲むように略円筒状に形成した遮へい板の天面を、高さが前記受光部との距離に略比例するように傾斜して構成したものである。
【００２５】
この手段により、受光範囲を略同心円状にすることができる天井扇風機が得られる。
【００２６】
また、他の手段は、センサー基板の外周側に垂下する遮へい板を、照明器具の天板に一体に設けたものである。
【００２７】
この手段により、コスト的な無駄を省くことができる天井扇風機が得られる。
【００２８】
また、他の手段は、回路基板が設置される回路ケースの外周側に照明器具を取付けるための照明用フランジを設けたものである。
【００２９】
この手段により、製品高さを小さくすることができる天井扇風機が得られる。
【００３０】
また、他の手段は、照明器具を取付ける照明用フランジを、リモコン受光部より上側に設けたものである。
【００３１】
この手段により、製品高さを小さくすることができる天井扇風機が得られる。
【発明の効果】
【００３２】
本発明によれば、リモコン受光部専用のセンサケースが不要となるとともに、照明器具の着脱時にリモコン受光部の取替えが不要となり、センサーの受光感度を維持でき、電子部品の温度上昇を緩和できる効果のある天井扇風機を提供できる。
【００３３】
また、製品高さを小さくすることができる効果のある天井扇風機を提供できる。
【００３４】
また、軽量化が図れるとともに、本体中心側への送風領域を広げることができる効果のある天井扇風機を提供できる。
【００３５】
また、回路ケースのスペースを小さくできる効果のある天井扇風機を提供できる。
【００３８】
また、受信距離を略同心円状にすることができる効果のある天井扇風機を提供できる。
【発明を実施するための最良の形態】
【００３９】
本発明の請求項１記載の発明は、複数枚のブレードを設けたモータと、このモータのシャフトに接続された天井に取り付けるための固定金具と、着脱可能に設けた照明器具と、前記モータの下側に設けられる回路基板およびリモコン受光部とを備え、前記照明器具の着脱に関係なく、前記リモコン受光部を固定し、前記リモコン受光部を塔載したセンサー基板の外周側に垂直方向の遮へい板を設け、照明器具の中心部を介して赤外線信号を受信可能に構成したものであり、リモコン受光部は、天井扇風機の本体に固定され、照明器具が取り付けられていないときも、また、照明器具が取り付けられるときも、常に一定場所に配置されている状態にあって、照明器具の着脱時に、リモコン受光部を移動させるために取替えることが不要になるとともに、リモコン受光部専用のセンサーケースなども不要となり、照明器具の着脱時に、リモコン受光部を取替える作業もなくなり、また、照明器具の取付時に、リモコン受光部を取付けるための専用の取付具を用いる必要もなくなり、照明器具を取り付けたとき、照明器具のランプの光をリモコン受光部が直接受けることが防止され、リモコン受光部のセンサーの受光感度低下を防ぎ、また、センサーを含む回路基板上の電子部品の温度上昇を緩和することができるという作用を有する。
【００４０】
また、請求項２記載の発明は、回路基板を中空円板形状に形成し、モータのシャフト下端より上側に設置したものであり、モータのシャフト下端より上に回路基板を設けることにより、回路基板をモータのシャフトの下端部に設けた場合と比較し、回路基板を上方に移動した寸法分だけ製品の高さを小さくすることが可能となる作用を有する。
【００４４】
また請求項３記載の発明は、照明用ＬＥＤを本体の中心線上に設け、リモコン受光部を、前記照明用ＬＥＤに近接して配置したものであり、センサー基板に照明用ＬＥＤとリモコン受光部を塔載することにより回路ケースのスペースを小さくできる作用を有する。
【００４５】
また、請求項４記載の発明は、回路基板を囲む回路カバーに取り付けられたセンサー基板に、照明用ＬＥＤとリモコン受光部を隔てる壁を設けたものであり、照明用ＬＥＤからの光が壁により遮へいされ、リモコン受光部に直接照射することがなくなり、リモコン受光部のセンサーの受光感度を維持することが可能となるとともに、回路基板の取付時の位置決めにもなり、固定が容易となる作用を有する。
【００４７】
また、請求項５記載の発明は、リモコン受光部を囲むように略円筒状に形成した遮へい板の天面を、高さが前記リモコン受光部との距離に略比例するように傾斜して構成したものであり、リモコン受光部の取付け位置を、天井扇風機のモータの軸上にできない場合などにおいては、リモコンからの受信距離に偏りがでてしまうが、略円筒状の中心からのずれ分を遮へい板の高さで調整することにより、受信範囲をリモコン受光部を中心として、水平方向において略同心円状にすることができる作用を有する。
【００４８】
また、請求項６記載の発明は、センサー基板の外周側に垂下する遮へい板を、照明器具の天板に一体に設けたものであり、遮へい板は、照明器具の取り付けを必要とする場合のみ使用する部品であるため、照明器具の天板に一体に設けることで、コスト的な無駄を省くことができる作用を有する。
【００４９】
また、請求項７記載の発明は、回路基板が設置される回路ケースの外周側に照明器具を取り付けるための照明用フランジを設けたものであり、天面に水平な天板を有する照明器具を回路ケースの外周を囲むように取付けできるので、照明用フランジを用いることで製品高さを小さくすることが可能となる作用を有する。
【００５０】
また、請求項８記載の発明は、照明器具を取り付ける照明用フランジを、リモコン受光部より上側に設けたものであり、照明器具によるリモコン受光部が囲まれる範囲を少なくすることができ、また、リモコン受光部の受光感度が維持でき、さらに製品高さを小さくすることができる作用を有する。
【００５１】
以下、本発明の実施の形態について図面を参照しながら説明する。
【００５２】
（実施の形態１）
図１〜図６に示すように、複数枚のブレード１を設けたモータ２と、モータ２のシャフト３に接続された天井４に取り付けるための固定金具５と、着脱可能に設けた照明器具６と、モータ２の下側に設けられる回路基板７およびリモコン受光部８とを備え、照明器具６の着脱に関係なくリモコン受光部８を天井扇風機の本体９に固定し、回路基板７を中空円板形状に形成し、モータ２のシャフト下端１０より上側に設置する。
【００５３】
また、図２に示すように、ブレードフレーム１１に垂下部１２を設け、ブレードフレーム１１をモータ２より略垂直に下りるよう設け、ブレード１の内側端部１３をブレードフレーム１１の垂下部１２より、本体９側に突出するように設け、ブレード１を本体ケース１４に近接させる。
【００５４】
また、図３に示すように、照明用ＬＥＤ１５を本体９の中心下部に設け、リモコン受光部８を照明用ＬＥＤ１５に近接して配置し、回路基板７を囲む回路カバー１６に取り付けられたセンサー基板１７に、照明用ＬＥＤ１５とリモコン受光部８を隔てる壁１８を設ける。
【００５５】
さらに、センサー基板１７の外周側に垂直方向へ遮へい板１９を設け、照明器具６の中心部を介して赤外線信号を受信可能に設け、リモコン受光部８を囲むように略円筒状に形成した遮へい板１９の天面２０を高さがリモコン受光部８との距離に略比例するように傾斜して設ける。
【００５６】
また、センサー基板１７の外周側に垂下する遮へい板１９を照明器具６の天板２１に一体に設け、回路基板７が設置される回路ケース２２の外周側に照明器具６を取り付けるための照明用フランジ２３を設け、照明器具６を取り付ける照明用フランジ２３をリモコン受光部８より上方位置に設け構成する。
【００５７】
上記構成において、照明器具６を取り付けていない状態で運転する場合には、リモコン（図示せず）の操作によりリモコンからの信号が本体９の下方部に設けたリモコン受光部８に受信され、照明用ＬＥＤ１５に通電されて点灯し、シャフト３に回転自在に支持されているモータ２が駆動され、モータ２に設けたブレード１が回転し、上方または下方に送風される。
【００５８】
また、照明器具６を取り付けて運転する場合には、本体ケース１４の一部を取り外し回路ケース２２に照明用フランジ２３を取り付け、照明用フランジ２３を介して照明器具６を取り付け、リモコンの操作により、リモコン受光部８に信号を受信し、照明器具６の点灯とブレード１の回転を行ない、送風と照明を行なうことができる。
【００５９】
このように実施の形態１の発明によれば、複数枚のブレード１を設けたモータ２と、このモータ２のシャフト３に接続された天井４に取り付けるための固定金具５と、着脱可能に設けた照明器具６と、前記モータ２の下側に設けられる回路基板７およびリモコン受光部８とを備え、前記照明器具６の着脱に関係なく、前記リモコン受光部８を天井扇風機の本体９に固定したので、リモコン受光部８は、天井扇風機の本体９に固定され、照明器具６が取り付けられていないときも、また、照明器具６が取り付けられたときも、常に一定場所に配置されている状態にあって、照明器具６の着脱時にリモコン受光部８を移動させるために取り替えや調整の作業が不要になるとともに、リモコン受光部８専用のセンサーケースなども不要となり、手軽にかつ簡便に取り扱うことができる。
【００６０】
また、回路基板７を中空円板形状に形成し、モータ２のシャフト下端１０より上側に設置したので、モータ２のシャフト下端１０より上に回路基板７を設けたことにより、回路基板７をモータ２のシャフト３の下端部に設けた場合と比較し、回路基板７の位置が上に上がった寸法だけ製品の高さを小さくすることが可能となることとなる。
【００６１】
また、ブレードフレーム１１に垂下部１２を設け、ブレードフレーム１１の中間部をモータ２より略垂直に下りるようにしたので、天井４面とブレード１との距離を大きくすることができ、送風性能（風速、風量）を維持しながら、製品高さを小さくすることが可能となり、また、ブレードフレーム１１の外観を斬新なデザインにすることができることとなる。
【００６２】
また、ブレード１の内側端部１３をブレードフレーム１１の垂下部１２より本体９側に突出していので、ブレードフレーム１１をブレード１の重心に近づけて取り付けることができるため、ブレードフレーム１１の強度を抑えることができ、ブレードフレーム１１を細かくすることや肉厚を厚くするなどの軽量化が図られるとともに、本体９の中心側への送風領域を広げることができることとなる。
【００６３】
また、ブレード１を本体ケース１４に近接するように設けたので、ブレード１と本体９との隙間がなくなり、照明器具６を設けていないときは、隙間から風が逃げることがなくなり、筒形の本体９に沿って効率良く、上方または下方に送風することができ、また、ブレードフレーム１１を覆い隠すようにブレード１を配置するため下方からブレードフレーム１１が見えにくく、本体９とブレード１が一体化したデザインを得ることができることとなる。
【００６４】
また、照明用ＬＥＤ１５を本体９の中心線上に設け、リモコン受光部８を照明用ＬＥＤ１５に近接して配置したので、センサー基板１７に照明用ＬＥＤ１５とリモコン受光部８を塔載することができることにより、回路ケース２２のスペースを小さくできることとなる。
【００６５】
また、回路基板７を囲む回路カバー１６に取り付けられたセンサー基板１７に照明用ＬＥＤ１５とリモコン受光部８を隔てる壁１８を設けたので、照明用ＬＥＤからの光が壁１８により遮へいされ、リモコン受光部８に直接入力されることがなくなり、リモコン受光部８のセンサーの受光感度を維持することが可能になるとともに、回路基板７の取付時の位置決めにもなり、固定が容易になることとなる。
【００６６】
また、センサー基板１７の外周側に垂直方向の遮へい板１９を設け、照明器具６の中心部を介して赤外線信号を受信可能にしたので、照明器具６を取り付けたとき、照明器具６のランプの光をリモコン受光部８が直接受けることが防止され、リモコン受光部８のセンサーの受光感度低下を防ぎ、また、センサーを含む回路基板７上の電子部品の温度上昇を緩和できることとなる。
【００６７】
また、リモコン受光部８を囲むように略円筒状に形成した遮へい板１９の天面２０を、高さがリモコン受光部８との距離に略比例するように傾斜したので、リモコン受光部８の取り付け位置を、天井扇風機のモータ２の軸上にできない場合などにおいては、リモコンからの受信距離に偏りがでてしまうが略円筒状の中心からのずれ分を遮へい板１９の高さで調整することにより、受信範囲を水平面上において略同心円状にすることができることとなる。
【００６８】
また、センサー基板１７の外周側に垂下する遮へい板１９を、照明器具６の天板２１に一体に設けたので、遮へい板１９は、照明器具６の取り付けを必要とする場合のみ必要な部品であるため、照明器具６の天板２１に一体に設けることで、コスト的な無駄を省くことができることとなる。
【００６９】
また、回路基板７が設置される回路ケース２２の外周側に照明器具６を取り付けるための照明用フランジ２３を設けたもので、天面に水平な天板２１を有する照明器具６を回路ケース２２の外周を囲むように取り付けることができ、また、照明用フランジ２３を用いることで製品高さを小さくすることが可能となることとなる。
【００７０】
また、照明器具６を取り付ける照明用フランジ２３を、リモコン受光部８より上側に設けたものであり、照明器具６によるリモコン受光部８が囲まれる範囲を小さくすることができ、また、リモコン受光部８の受光感度が維持でき、さらに製品高さを小さくすることができることとなる。
【産業上の利用可能性】
【００７１】
照明器具とともに空気浄化ユニット、芳香ユニットなどを着脱可能に設けることにより、室内の空気環境を改善する用途にも適用できる。
【図面の簡単な説明】
【００７２】
【図１】本発明の実施の形態１の天井扇風機の照明器具を取付けた断面図
【図２】同ブレードフレームの垂下部よりブレードの内側端部を本体側に突出した要部断面図
【図３】同リモコン受光部と照明用ＬＥＤの位置関係を示す要部断面図
【図４】同外観斜視図
【図５】同天井扇風機の照明器具を外した状態を示す断面図
【図６】同外観斜視図
【図７】従来の天井扇風機の断面図
【図８】同照明装置を取り付けた天井扇風機の断面図
【符号の説明】
【００７３】
１    ブレード
２    モータ
３    シャフト
４    天井
５    固定金具
６    照明器具
７    回路基板
８    リモコン受光部
９    本体
１０  シャフト下端
１１  ブレードフレーム
１２  垂下部
１３  内側端部
１４  本体ケース
１５  照明用ＬＥＤ
１６  回路カバー
１７  センサー基板
１８  壁
１９  遮へい板
２０  天面
２１  天板
２２  回路ケース
２３  照明用フランジ
【図１】
0004802646.tif 000002
【図２】
0004802646.tif 000003
【図３】
0004802646.tif 000004
【図４】
0004802646.tif 000005
【図５】
0004802646.tif 000006
【図６】
0004802646.tif 000007
【図７】
0004802646.tif 000008
【図８】
0004802646.tif 000009